(57)【要約】【課題】平常時には土砂がスリットを通って砂防堰堤の下流側に流下し、洪水時、特に洪水ピーク後の減水期に土石流や流木の通過を阻止するようにする。【解決手段】透過型砂防堰堤の中央付近のスリット１２を覆うスクリーンを上下二段に分け、上段のスクリーンをスリット１２の上部に固定して流木捕捉スクリーン１４とし、下段のスクリーンを上下に動くように土砂捕捉スクリーン２０とし、平常時は土砂捕捉スクリーン２０を上方に引き上げておき、土石流を防止する対策が必要になった時点で、上方に引き上げてあった土砂捕捉スクリーン２０を下段に降ろしてスリット１２の下部を覆うようにした。【選択図】図2
2014173234.tif 000002
【特許請求の範囲】
【請求項１】
河川の上流の土砂の一部を下流に流すためのスリットを縦に設けた砂防堰堤本体と、該スリットの上部領域の全部又は一部を覆う流木捕捉スクリーンと、該スリットの下部領域の全部又は一部を覆う土砂捕捉スクリーンと、該土砂捕捉スクリーンを上下に移動可能に支持する支持構造体とを備えたことを特徴とする透過型砂防堰堤。
【請求項２】
前記流木捕捉スクリーンは所定間隔をおいて設けられた複数本の横ビームと、該横ビームを前記砂防堰堤本体に固定する固定部材とからなることを特徴とする請求項１に記載の透過型砂防堰堤。
【請求項３】
前記流木捕捉スクリーンは前記砂防堰堤本体の上流側の面に固定されていることを特徴とする請求項１又は２に記載の透過型砂防堰堤。
【請求項４】
前記流木捕捉スクリーンの上縁は前記スリットの上縁と略同一高さ位置にあり、該流木捕捉スクリーンの下縁は、想定される土石流水深以上であることを特徴とする請求項１〜３のいずれかに記載の透過型砂防堰堤。
【請求項５】
前記土砂捕捉スクリーンは所定間隔をおいて設けられた複数本の横ビームと、該横ビームを梯子状に連結する連結部材とからなることを特徴とする請求項１〜４のいずれかに記載の透過型砂防堰堤。
【請求項６】
前記支持構造体は前記土砂捕捉スクリーンを上下に移動可能に支持する主支持構造体と、該主支持構造体を支持する副支持構造体とからなることを特徴とする請求項１〜５のいずれかに記載の透過型砂防堰堤。
【請求項７】
前記支持構造体は前記縦スリットの内部に設置されていることを特徴とする請求項１〜６のいずれかに記載の透過型砂防堰堤。
【請求項８】
前記土砂捕捉スクリーンがリモコンシャックルにより前記支持構造体の上部に固定されていることを特徴とする請求項１〜７のいずれかに記載の透過型砂防堰堤。
【請求項９】
前記土砂捕捉スクリーンを引き上げるウインチ又はチェーンブロックを備えていることを特徴とする請求項１〜８のいずれかに記載の透過型砂防堰堤。
【請求項１０】
前記流木捕捉スクリーンの横ビームの間隔Ｗ１と前記土砂捕捉スクリーンの横ビームの間隔Ｗ２は、Ｗ１＞Ｗ２の関係にあることを特徴とする請求項１〜９のいずれかに記載の透過型砂防堰堤。
【請求項１１】
掃流域に設けられていることを特徴とする請求項１〜１０のいずれかに記載の透過型砂防堰堤。
【請求項１２】
透過型砂防堰堤を用いて河川の水及び土砂の流れを制御する透過型砂防堰堤の使用方法であって、該透過型砂防堰堤は河川の上流の土砂の一部を下流に流すためのスリットを縦に設けた砂防堰堤本体と、該スリットの上部領域の全部又は一部を覆う流木捕捉スクリーンと、該スリットの下部領域の全部又は一部を覆う土砂捕捉スクリーンと、該土砂捕捉スクリーンを上下に移動可能に支持する支持構造体とを備え、該土砂捕捉スクリーンを該スリットの上部位置に保持して砂防堰堤の下流側へ土砂を流下させる定常対応工程と、該土砂捕捉スクリーンを該スリットの下方位置に降ろして土石流に備える土石流等対応工程と、洪水後の平常時に該土砂捕捉スクリーンを該スリットの上部位置に引き上げて該定常対応工程に戻す復帰工程とを備えたことを特徴とする透過型砂防堰堤の使用方法。
【請求項１３】
前記土砂捕捉スクリーンを洪水のピーク直後の減水期に前記スリットの下方位置に降ろすことを特徴とする請求項１２に記載の透過型砂防堰堤の使用方法。
【請求項１４】
前記土砂捕捉スクリーンを洪水発生のおそれが生じた時点で前記スリットの下方位置に事前に降ろすことを特徴とする請求項１２に記載の透過型砂防堰堤の使用方法。
【請求項１５】
前記土砂捕捉スクリーンをその地域の増水期として認識されている期間中、前記スリットの下方位置に恒常的に降ろしておくことを特徴とする請求項１２に記載の透過型砂防堰堤の使用方法。
【請求項１６】
前記土砂捕捉スクリーンを透過型砂防堰堤本体若しくは土石流の流下する位置の任意位置に取り付けた土石流センサーの反応に起因して前記スリットの下方位置に降ろすことを特徴とする請求項１２に記載の透過型砂防堰堤の使用方法。
【発明の詳細な説明】
【技術分野】
【０００１】
本発明は、河川の上流側の土砂が砂防堰堤を通って下流側に継続的に流下するようにした透過型砂防堰堤に関するものである。
【背景技術】
【０００２】
河川の上流では集中豪雨などによって土石流が発生することがある。土石流は土砂と水が樹木などを巻き込みながら一体となって河川を一気に流れ下るもので、そのエネルギーは非常に大きく、下流の橋を破壊したり、堤防を決壊させて大洪水を引き起こすなど、大災害を引き起こすおそれが非常に高いものである。
【０００３】
また、土石流はこのように河川上流域の河床勾配が急な場所で発生するものであるが、近年は、河川上流域に限らず、中・下流域の河床勾配が緩い掃流域にて発生する、大きな礫は含まないが、流木や比較的小さな礫を伴って流下する土砂流についても、下流域に土石流と同様の被害を発生させることも問題となっている。
【０００４】
そこで、近年、土石流等が発生し易い河川の途中に、図１１に示すような砂防堰堤１１０を設け、集中豪雨などによって土石流等が発生しても、土石流等が河川を一気に流れ下らないようにしている。
【０００５】
すなわち、土石流等が発生し易い河川の途中にこのような砂防堰堤１１０を設け、河川の水量が増したときに砂防堰堤１１０の上流側に土砂等を所望の容量堰き止めおくための湛水域１１２が形成されるようにしておき、集中豪雨などによって土石流等が生じた場合、土石流等をこの湛水域１１２に流れ込ませ、土石流等が下流側へ流出することを止めるようにしている。
【０００６】
湛水域１１２に流れ込んだ土石流等は湛水域１１２の上流側で拡散し、土石流等の大きなエネルギーは湛水域１１２の水より緩衝吸収され、土石流等の中にある土砂は湛水域１１２の底１１４に広がって沈積し、土石流等に巻き込まれて流れてきた流木１１６は湛水域１１２の砂防堰堤１１０に近い付近に浮遊・集積する。
【０００７】
しかし、河川の途中に砂防堰堤１１０を設けると、土砂の流下が砂防堰堤１１０によって遮られ、砂防堰堤１１０の下流には、本来、供給される無害な土砂等が流下できなくなるので、河川の下流の海岸に砂が補給されなくなり、砂浜が海流によって浸食されても浸食されたままになり、砂浜が失われたり、海岸線が後退してしまうという問題が生じる。
【０００８】
また、河川の途中に砂防堰堤１１０を設けると、土砂の流下が砂防堰堤１１０によって遮られ、図１２に示すように、砂防堰堤１１０の上流側の湛水域１１２の底１１４に土砂が累積して底１１４が次第に高くなり、砂防堰堤１１０の上流側に土砂等を所望の容量の堰き止めおくための湛水域１１２が形成されなくなり、土石流等が発生しても土石流を受け止めることができなくなり、土石流等が砂防堰堤１１０を乗越え、有害な土砂等が下流側に流下するなど本来の機能が失われてしまうという問題が生じる。
【０００９】
そこで、これらの問題を解決するため、図１３に示すように、砂防堰堤１１０の中央付近に縦にスリット１１８を設けた透過型砂防堰堤が提案されている。この透過型砂防堰堤によれば、中小洪水時には砂防堰堤１１０の上流側の土砂がスリット１１８を通って下流側に流下するので、砂防堰堤１１０の上流側の湛水域１１２の底１１４に土砂が堆積し過ぎたり、砂浜の浸食による海岸線の後退といった問題が生じなくなる。
【００１０】
また、前記、透過型砂防堰堤は、洪水時には、湛水域１１２に一時的に洪水を堰き止め、土石流等のエネルギー減衰し、洪水のピーク後の減水期に前記縦スリットから徐々に湛水を下流側に流下させる機能も有している。
【００１１】
しかし、この透過型砂防堰堤は、洪水の初期、図１４に示すように、湛水域１１２に浮遊していた流木１１６が、洪水期、図１５に示すように、スリット１１８をすり抜けてまたは、砂防ダムを乗越えて下流に流れ下り、これが橋を破壊したり、橋に引っ掛かって洪水を引き起こすことがあるという新たな問題を生じさせている。
【００１２】
また、この透過型砂防堰堤は、洪水の初期、図１４に示すように、湛水域１１２の底に広がって沈積していた土砂が、洪水のピーク後の減水期に、図１５に示すように、水とともに砂防堰堤１１０のスリット１１８から大量に流れ出し、この土砂と水が砂防堰堤１１０の下流側の河川を流れ下って勢いを付け、河川の下流域で土石流による被害を生じさせることがあるという新たな問題を生じさせている。ここで、洪水のピーク後の減水期に土砂が水とともに砂防堰堤１１０のスリット１１８から大量に流れ出す理由は次の通りと考えられる。
【００１３】
すなわち、洪水のピーク前後では、湛水域１１２に沈積している土砂等は、水分を多く含み流動的である。また、砂防堰堤１１０の上流側の湛水域１１２の底１１４は砂防堰堤１１０に向けて低くなるように傾斜している。従って、洪水のピーク後の減水期に、湛水域１１２に沈積する土砂は、流下水と共に滑り落ち砂防堰堤１１０付近に集積される。この集積した土砂１２０が、水とともに砂防堰堤１１０のスリット１１８から大量に流れ出すためと考えられる。なお、この現象は、前記、土砂流の場合、特に顕著に現れる。
【００１４】
そこで、これらの問題を解決するために、図１６に示すように、砂防堰堤１１０のスリット１１８に固定式のスクリーン１２２を砂防堰堤１１０の上流側からスリット１１８全体を覆うように設け、流木１１６が砂防堰堤１１０のスリット１１８からすり抜けて下流に流れ下らないようにし、また、土砂１２０が砂防堰堤１１０の下流側へ大量に流出しないようにする透過型砂防堰堤が提案されている。
【先行技術文献】
【特許文献】
【００１５】
【特許文献１】特開２００９−１９７４３３号公報
【特許文献２】特開２００８−２０２２９１号公報
【特許文献３】特開２００７−１９１９３６号公報
【特許文献４】特開  平１１−０５０４３５号公報
【非特許文献】
【００１６】
【非特許文献１】国土交通省砂防部、国土交通省国土技術政策総合研究所  編著「砂防基本計画策定指針（土石流・流木対策編）及び同解説」「土石流・流木対策設計技術指針及び同解説」社団法人全国治水砂防協会  平成１９年１１月
【発明の概要】
【発明が解決しようとする課題】
【００１７】
しかし、このような固定式のスクリーン１２２だと、中小の洪水により水量が少し増した時などにスクリーン１２２の下部にわずかなゴミが引っ掛かることをきっかけとしてスクリーン１２２の下部にゴミや土砂が次々と引っ掛かかり、このゴミや土砂によって上流から流れてきた土砂が堰き止められ、砂防堰堤１１０のスリット１１８の下部が土砂に塞がれ、平常時、土砂が砂防堰堤１１０のスリット１１８を通って砂防堰堤の下流側に流下できなくなるという問題があった。また、湛水域１１２を確保することができなくなるため、洪水時に土石流等の衝撃を有効に緩和することが出来なくなると言う問題もあった。
【課題を解決するための手段】
【００１８】
本発明は、平常時には土砂がスリットを通って砂防堰堤の下流側に流下し、洪水時、特に洪水ピーク後の減水期に土石流や流木の通過を阻止するようにするため、スリットを覆うスクリーンを上下２つに分け、平常時は下部のスクリーン（土砂捕捉スクリーン）を上方に引き上げておき、土石流を防止する対策が必要になった時点で、上方に引き上げてあった下部のスクリーン（土砂捕捉スクリーン）を下部に降ろしてスリットの下部を覆うようにしたことを最も主要な特徴とする。
【発明の効果】
【００１９】
本発明の透過型砂防堰堤は、スリットの下部領域の全部又は一部を覆う土砂捕捉スクリーンと、該土砂捕捉スクリーンを上下に移動可能に支持する支持構造体とを備えているので、洪水のピーク後の減水期などの適宜時期に、スリットから土砂が急激に流出することを予測して土砂捕捉スクリーンをスリットの下方位置に事前に降ろせば、スリットから急激に流出する土砂の流出を土砂捕捉スクリーンで阻止し、砂防堰堤の下流における土石流による災害の発生を防止することができるという利点がある。
【００２０】
また、土石流センサーなどを透過型砂防堰堤本体若しくは上流側の湛水域１１２の任意位置に設置し、土石流センサーの反応により、前記、土砂捕捉スクリーンをスリットの下方位置に降ろす様にすれば、事前の用意を簡素化することができる。
【００２１】
また、本発明の透過型砂防堰堤は、スリットの下部領域の全部又は一部を覆う土砂捕捉スクリーンと、該土砂捕捉スクリーンを上下に移動可能に支持する支持構造体とを備えているので、平常時、土砂捕捉スクリーンを上方に引き上げて砂防堰堤のスリットの下方を完全に開放状態とすれば、砂防堰堤の上流の土砂がスリットを通って砂防堰堤の下流側に確実に流下し、砂浜の浸食による海岸線の後退といった問題が生じなくなり、魚道の確保など生態系の連続性が確保されるという利点がある。
【００２２】
また、本発明の透過型砂防堰堤は、スリットの下部領域の全部又は一部を覆う土砂捕捉スクリーンと、該土砂捕捉スクリーンを上下に移動可能に支持する支持構造体とを備えているので、平常時、土砂捕捉スクリーンを上方に引き上げて砂防堰堤のスリットの下方を完全に開放状態とすれば、湛水域１１２に土砂が堆積することがなくなるので、必要な湛水域１１２を確保することができるため、洪水時に土石流等の衝撃を有効に緩和することができる。
【００２３】
また、本発明の透過型砂防堰堤は、スリットの上部領域の全部又は一部を覆う流木捕捉スクリーンを備えているので、上流から土石流等と共に流れてきた流木を砂防堰堤で捕捉し、砂防堰堤の下流側に流木を流さないでおくことができ、従って、流木が橋を破壊したり、橋に引っ掛かって洪水を引き起こすといった災害の発生を防止することができるという利点がある。
【図面の簡単な説明】
【００２４】
【図１】図１は本発明に係る透過型砂防堰堤の一例の説明図である。
【図２】図２は図１のＡ−Ａ断面図である。
【図３】図３は流木捕捉スクリーンを構成しているビーム材の砂防堰堤本体への取り付け状態の一例を示す説明図である。
【図４】図４は流木捕捉スクリーンを構成しているビーム材の砂防堰堤本体への取り付け状態の他の例を示す説明図である。
【図５】図５は引き上げ状態の土砂捕捉スクリーン及び支持構造体の説明図である。
【図６】図６は図５のＢ−Ｂ断面図である。
【図７】図７は本発明に係る透過型砂防堰堤の使用方法を示す工程図である。
【図８】図８は引き下げ状態の土砂捕捉スクリーン及び支持構造体の説明図である。
【図９】図９は本発明に係る透過型砂防堰堤及び湛水域の洪水時初期における土砂及び流木の状態を示す説明図である。
【図１０】図１０は本発明に係る透過型砂防堰堤及び湛水域の洪水時末期における土砂及び流木の状態を示す説明図である。
【図１１】図１１は従来の砂防堰堤の説明図である。
【図１２】図１２は湛水域が土砂で埋まってしまった従来の砂防堰堤の説明図である。
【図１３】図１３はスリットを設けた従来の透過型砂防堰堤の説明図である。
【図１４】図１４はスリットを設けた従来の透過型砂防堰堤の洪水時初期における土砂及び流木の状態を示す説明図である。
【図１５】図１５はスリットを設けた従来の透過型砂防堰堤の洪水時末期における土砂及び流木の状態を示す説明図である。
【図１６】図１６はスリットの全面にスクリーンを設けた従来の透過型砂防堰堤の説明図である。
【発明を実施するための形態】
【００２５】
洪水のピーク後の減水期などに砂防堰堤のスリットから急激に流出する大量の土砂の流出を阻止するという目的を、簡単な構成で、洪水の無い平常時において砂防堰堤の上流側から砂防堰堤の下流側への土砂の流下を妨げることなく実現した。
【実施例１】
【００２６】
図１は本発明に係る透過型砂防堰堤の一例の説明図、図２は図１のＡ−Ａ断面図である。これらの図において、１０は砂防堰堤本体であり、砂防堰堤本体１０は河川の土石流域または掃流域に設けられている。砂防堰堤本体１０の中央付近にはスリット１２が縦に設けられている。スリット１２は砂防堰堤本体１０の上流側（図２では右側）の土砂及び水を砂防堰堤本体１０の下流側（図２では左側）に流すためのものである。
【００２７】
砂防堰堤本体１０の上部には流木捕捉スクリーン１４がスリット１２の上部領域を覆うように取り付けられ、流木捕捉スクリーン１４は砂防堰堤本体１０の上流側の面に固定されている。土石流や土砂流に含まれる流木は、その他の石礫や土砂に比較して軽量のため、流れの上部に集合され、運搬される。流木捕捉スクリーン１４は砂防堰堤本体１０の上流側の面の上部領域に固定されているので、土石流が砂防堰堤本体１０に到達した際に、流木１６は、流木捕捉スクリーン１４により、捕捉され下流側に流出しない。
【００２８】
流木捕捉スクリーン１４は所定間隔をおいて略水平に設けられた複数本の横ビーム１４ａと、横ビーム１４ａの両端部に取り付けられた取付部材１４ｂ，１４ｂとからなる。流木捕捉スクリーン１４は、図３に示すように、砂防堰堤本体１０に取付部材１４ｂをアンカーボルト１４ｃによって固定することにより取り付けてもよいし、図４に示すように、砂防堰堤本体１０にビームスライド１４ｄをアンカーボルト１４ｃによって固定し、ビームスライド１４ｄに取付部材１４ｂを挿入することにより、スライド可能に取り付けてもよい。
【００２９】
流木捕捉スクリーン１４は流木１６を捕捉するために設置されるもので、流木１６は流木捕捉スクリーン１４の横ビーム１４ａの間隔Ｗ１をそれほど狭く設計しなくても捕捉できるが、狭く設計すると水の流れを阻害する可能性が高まる。従って、水の流れをできるだけ阻害しないために、流木捕捉スクリーン１４の横ビーム１４ａの間隔Ｗ１は流木１６を逃さない範囲で比較的広めに設計した方がよい。
【００３０】
また、流木捕捉スクリーン１４は流木１６を捕捉するために設置されるものなので、流木捕捉スクリーン１４の上縁はスリット１２の上端部と略同一高さ位置にあれば足りる。また、流木捕捉スクリーン１４の下縁は浮遊している流木１６を効果的に捕捉できる高さであれば足り、水の流れをできるだけ阻害しないためにあまり低くするべきではなく、計画される土石流等の水深以上の高さ位置が好ましい。
【００３１】
図５はスリットの内部に設置されている支持構造体および土砂捕捉スクリーンの説明図、図６は図５のＢ−Ｂ断面図である。砂防堰堤本体１０のスリット１２の内部には、図５及び図６に示すように、支持構造体１８が設置され、支持構造体１８にはビームスライド１８ａを介して土砂捕捉スクリーン２０が取り付けられている。支持構造体１８の下部は基礎コンクリート２２によってスリット１２の下部に固定されている。土砂捕捉スクリーン２０は、スリット１２の下部を覆う下部位置とスリット１２の下部を開放状態にする上部位置との間で、上下動可能に取り付けられている。
【００３２】
支持構造体１８は、所定間隔をおいて平行に設けられたビームスライド１８ａと、ビームスライド１８ａを背後から支持する主支持構造体１８ｂと、主支持構造体１８ｂを背後から支持する副支持構造体１８ｃとから構成されている。ビームスライド１８ａは断面略Ｃ字状の長尺な鋼材からなる。主支持構造体１８ｂは長尺な鋼材を門形に連結したものからなる。副支持構造体１８ｃは一対の長尺な鋼材からなる。主支持構造体１８ｂの下部と副支持構造体１８ｃの下部は基礎コンクリート２２内に埋設されている。
【００３３】
土砂捕捉スクリーン２０は所定間隔をおいて設けられた複数本の横ビーム２０ａと、横ビーム２０ａを梯子状に連結する連結部材２０ｂとから構成されている。連結部材２０ｂは支持構造体１８のビームスライド１８ａにスライド可能に挿入されている。土砂捕捉スクリーン２０は土砂をしっかりと捕捉するために設置されるものであり、土砂ができるだけすり抜けないという観点から、土砂捕捉スクリーン２０の横ビーム２０ａの間隔Ｗ２は流木捕捉スクリーン１４の横ビーム１４ａの間隔Ｗ２と比べて狭めに設計されている。
【００３４】
土砂捕捉スクリーン２０はリモコンシャックル（図示せず）により支持構造体１８の上部に固定されている。土砂捕捉スクリーン２０はリモコンシャックルにより固定されているので、離れた場所から土砂捕捉スクリーン２０の固定を容易に解除させ、土砂捕捉スクリーン２０をスリット１２の下部に容易に降下、設置させることができる。
【００３５】
次に、この透過型砂防堰堤の使用方法を図７に示す工程図に従って説明する。
【００３６】
まず、定常状態の時、すなわち河川が増水していない時又は洪水になっていない時は、土砂捕捉スクリーン２０をウインチで引き上げ、砂防堰堤本体１０のスリット１２の下部を、完全に開放状態とし（図２参照）、土砂捕捉スクリーン２０は支持構造体１８の上部にリモコンシャックルで固定しておく（定常対応工程）。
【００３７】
この状態で、砂防堰堤本体１０の上流側の水や土砂はスリット１２の下部を介して砂防堰堤本体１０の下流側へある程度ずつ流下する。また、スリット１２の下部は完全に開放状態にあるので、砂防堰堤本体１０の下流側の魚は砂防堰堤本体１０の上流側に容易に移動することができ、生態系の連続性は確保される。
【００３８】
次に、河川が増水し、砂防堰堤本体１０に供給される水がスリット１２から流れ出る水より多くなると砂防堰堤本体１０の上流側に水が貯まって湛水域２４が形成される。そして、砂防堰堤本体１０の上流の河川で土石流が発生するとこの湛水域２４に土石流及び流木１６が流れ込む。
【００３９】
この段階で、土砂捕捉スクリーン２０を、図８に示すように、スリット１２の下方位置に降ろし、スリット１２の下部領域を塞ぐ。すなわち、土砂捕捉スクリーン２０を支持構造体１８に固定しているリモコンシャックルのロープを引っ張ってリモコンシャックルの安全ラッチを外し、土砂捕捉スクリーン２０をウインチ、チェーンブロック等により降下させ、土砂捕捉スクリーン２０でスリット１２の下部領域を塞ぐ（土石流等対応工程）。
【００４０】
砂防堰堤本体１０の上流に形成された湛水域２４に流れ込んだ土石流は湛水域２４の上流側の水塊に衝突して拡散し、土石流の大きなエネルギーはここで吸収される。土石流中の土砂は、図９に示すように、湛水域２４の底２６に広がって沈積し、湛水域２４に流れ込んだ流木１６は湛水域２４の表面を浮遊する。
【００４１】
洪水のピーク後の減水期、すなわち、湛水域２４に供給される水がスリット１２から流れ出る水より少なくなる時期、湛水域２４の底２６に近い深さの水が砂防堰堤本体１０のスリット１２から排出されるようになると、湛水域２４の底２６は一般に砂防堰堤本体１０に向けて低くなるように傾斜しているので、湛水域２４の底２６に沈積していた土砂２８は底２６に近い深さの水とともに砂防堰堤本体１０の近くまで滑り落ち、砂防堰堤本体１０付近に集積される。この土砂２８が水とともに砂防堰堤本体１０のスリット１２から大量に流れ出ようとする。
【００４２】
スリット１２の下部領域は降下させた土砂捕捉スクリーン２０により塞がれているので、砂防堰堤本体１０のスリット１２から流れ出ようとする大量の土砂２８は、図１０に示すように、土砂捕捉スクリーン２０によって流出を阻止され、スリット１２から下流に流出せず、砂防堰堤本体１０の下流において土石流による被害が発生しないことになる。
【００４３】
なお、上記の例では土砂捕捉スクリーン２０を洪水発生のおそれが生じた時点で降ろしたが、砂防堰堤本体１０の上流側における土砂の挙動は、河川の持っている様々な特徴などによって多様なので、土砂捕捉スクリーン２０は、河川の持っている様々な特徴に応じ、洪水のピーク直後の減水期に降ろしてもよいし、あるいはその地域の増水期として認識されている期間中、恒常的に降ろしておいてもよい。
【００４４】
次に、洪水が終わって河川の水の流れが定常状態になった時には、砂防堰堤本体１０の上流側の土砂を重機で取り除いて土砂捕捉スクリーン２０を動かすことができるようにし、この状態で土砂捕捉スクリーン２０をウインチ、チェーンブロック等で上部位置に引き上げ、支持構造体１８の上部にリモコンシャックルで固定し、定常対応工程に戻す（復帰工程）。
【符号の説明】
【００４５】
１０  砂防堰堤本体
１２  スリット
１４  流木捕捉スクリーン
１４ａ  横ビーム
１４ｂ  固定部材
１４ｃ  アンカーボルト
１４ｄ  ビームスライド
１６  流木
１８  支持構造体
１８ａ  ビームスライド
１８ｂ  主支持構造体
１８ｃ  副支持構造体
２０  土砂捕捉スクリーン
２０ａ  横ビーム
２０ｂ  連結部材
２２  基礎コンクリート
２４  湛水域
２６  底
２８  土砂
【図１】
2014173234.tif 000003
【図２】
2014173234.tif 000004
【図３】
2014173234.tif 000005
【図４】
2014173234.tif 000006
【図５】
2014173234.tif 000007
【図６】
2014173234.tif 000008
【図７】
2014173234.tif 000009
【図８】
2014173234.tif 000010
【図９】
2014173234.tif 000011
【図１０】
2014173234.tif 000012
【図１１】
2014173234.tif 000013
【図１２】
2014173234.tif 000014
【図１３】
2014173234.tif 000015
【図１４】
2014173234.tif 000016
【図１５】
2014173234.tif 000017
【図１６】
2014173234.tif 000018